(57)【要約】【課題】筺体内に作業員が不意に立ち入って事故を起こすなどの不具合発生を確実に防止することができる電気機器収納用閉鎖パッケージハウスを提供する。【解決手段】閉鎖空間が確保された筐体１内には、電気機器２、空調設備ｘ、二酸化炭素ガスを広域放出して消火を行うガス放出消火設備ｙが設置される。また筐体１内の二酸化炭素ガス濃度を検出する二酸化炭素ガス濃度検出手段１６と、筐体１内の換気を行う換気設備ｚと、二酸化炭素ガス濃度検出手段１６で検出される検出値が予め設定された基準値以上である場合には換気設備ｚを起動するとともに警告を行う制御手段２０とを備えている。【選択図】        図１
2005005575.tif 000002
【特許請求の範囲】
【請求項１】
閉鎖空間が確保された筐体内には、電気機器、空調設備、および二酸化炭素ガスを広域放出して消火を行うガス放出消火設備が設置される一方、上記筐体内の二酸化炭素ガス濃度を検出する二酸化炭素ガス濃度検出手段と、筐体内の換気を行う換気設備と、上記二酸化炭素ガス濃度検出手段で検出される検出値が予め設定された基準値以上である場合には上記換気設備を起動するとともに警告を行う制御手段と、が設けられていることを特徴とする電気機器収納用閉鎖パッケージハウス。
【請求項２】
上記筐体内の酸素濃度を検出する酸素濃度検出手段が設けられる一方、上記制御手段は、さらに上記酸素濃度検出手段で検出される検出値が予め設定された基準値以下である場合には上記換気設備を起動するとともに警告を行うものであることを特徴とする請求項１記載の電気機器収納用閉鎖パッケージハウス。
【請求項３】
上記筐体内の相対湿度検出する湿度検出手段と、筐体内へ作業員が入室していない場合には電気機器の発錆を抑えることが可能な第１目標湿度を設定して上記湿度検出手段で検出される相対湿度がこの第１目標湿度になるように上記空調設備を制御し、また、作業員の入室がある場合には第１目標湿度よりも高い第２目標湿度に設定して上記湿度検出手段で検出される相対湿度がこの第２目標湿度になるように上記空調設備を制御する湿度制御手段と、を備えることを特徴とする請求項１または請求項２に記載の電気機器収納用閉鎖パッケージハウス。
【請求項４】
上記筐体内に仕切り壁を設けて作業員が立ち入る作業員立入領域を確保するとともに、上記仕切り壁には上記電気機器の点検作業用のアクセス用ドアが設けられていることを特徴とする請求項１ないし請求項３のいずれか１項に記載の電気機器収納用閉鎖パッケージハウス。
【発明の詳細な説明】
【０００１】
【発明の属する技術分野】
本発明は、たとえば発電所などに設置される電気機器収納用閉鎖パッケージハウスに係り、特には安全性をより一層向上させるための技術に関する。
【０００２】
【従来の技術】
発電所や変電所などにおいて、各種の電気機器を設置するために機器収納用のビルを新たに建設するのは建設費用が嵩むとともに工期も長くかかる。
そこで、短期間でかつ安価に電気機器を収納可能な建屋を建設できるものとして、従来より、組立式の電気機器収納用閉鎖パッケージハウスが提供されている（たとえば特許文献１参照）。
【０００３】
この電気機器収納用閉鎖パッケージハウスにおいては、降雨や直射日光、さらには湿気の浸入による電気機器への影響を防止するために、筺体内に外気が浸入しないように内部を閉鎖空間とした上で、この筺体内に電気機器を集合させて設置するとともに、各電気機器の発熱による筺体内の温度上昇を防止するために空調設備を設けている。
【０００４】
【特許文献１】
特開２０００−２５２６５４号公報（第８頁、図１０）
【０００５】
【発明が解決しようとする課題】
【０００６】
この種の従来の電気機器収納用閉鎖パッケージハウスにおいては、電気回路のショート等に起因して火災事故が発生する可能性があるので、そのような火災事故が生じた場合の早期の消火を行うために、電気機器に対して二酸化炭素ガスを筺体内に広域放出して消火を行うガス放出消火設備を設置することが検討されている。
【０００７】
ここで、二酸化炭素ガスを消火剤として電気機器の消火を行う場合、二酸化炭素は、加圧によって容易に液化できるために装置が安価で、電気絶縁性に優れ、また、火災を一吹きで消し止めることができ、しかも、その後に何の痕跡も残さないという利点を有する。
【０００８】
その反面、ガス放出消火設備に誤動作が生じたときには、人体に対する毒性の許容濃度を越える量の二酸化炭素が一時に放出されるため、作業員が二酸化炭素ガスが放出された筺体内に不意に立ち入ったときには、ガス中毒になる危険性がある。
【０００９】
また、電気機器収納用閉鎖パッケージハウスは、上述のごとく湿気の浸入等を防止するために外気を遮断する構造になっているので、筺体内が長期間にわたって締め切り状態のままで保持されていると、塗装や断熱材からの発生ガス、あるいは電気機器の金属錆発生等に起因して、筺体内の酸素濃度が低下していることがある。その際、作業員が不意に筺体内に立ち入ったときには、酸欠状態になる恐れもある。
【００１０】
本発明は、上記の課題に鑑みてなされたものであり、二酸化炭素ガスを消火剤としたガス放出消火設備の誤動作等に起因したガス中毒事故や、長期締め切り状態にされている筺体内に、作業員が不意に立ち入ったときの酸欠事故などの発生を確実に防止することができる電気機器収納用閉鎖パッケージハウスを提供することを目的とする。
【００１１】
【課題を解決するための手段】
本発明に係る電気機器収納用閉鎖パッケージハウスは、上記の目的を達成するために、閉鎖空間が確保された筐体内には、電気機器、空調設備、および二酸化炭素ガスを広域放出して消火を行うガス放出消火設備が設置される一方、上記筐体内の二酸化炭素ガス濃度を検出する二酸化炭素ガス濃度検出手段と、筐体内の換気を行う換気設備と、上記二酸化炭素ガス濃度検出手段で検出される検出値が予め設定された基準値以上である場合には上記換気設備を起動するとともに警告を行う制御手段と、が設けられていることを特徴としている。
【００１２】
これにより、ガス放出消火設備の誤動作等に起因して二酸化炭素ガスが筺体内に放出されて二酸化炭素ガス濃度が予め設定された基準値以上なると、筺体内の換気が行われるとともに、筺体内が危険状態にあることが警告されるため、筺体内に作業員が不意に立ち入ってガス中毒事故に見舞われるなどの危険性を確実に回避することができる。
【００１３】
【発明の実施の形態】
実施の形態１．
図１は本発明の実施の形態１における電気機器収納用閉鎖パッケージハウスを示すもので、同図（ａ）はその平面断面図、同図（ｂ）はその縦断面図である。
【００１４】
図１において、符号１は電気機器収納用閉鎖パッケージハウスを構成する筺体、２は筺体１内に設定された各種の電気機器である。
そして、筺体１内は、降雨や直射日光、さらには湿気の浸入による電気機器２への影響を防止するために、外気が浸入しない閉鎖空間として確保されている。
【００１５】
３はエアコン室内機、４はエアコン室内機３のダクト、５はエアコン室外機、６はエアコン室内機３とエアコン室外機５とを接続する配管であり、上記のエアコン室内機３、ダクト４、エアコン室外機５、および配管６によって空調設備ｘが構成されている。
【００１６】
７は照明器具、８は煙や火炎を検知する火災検知センサ、９は火災検知センサ８に接続された配線、１０は各火災検知センサ８から配線９を介して取り込まれる検知信号に基づいて火災発生の有無を判断する火災監視装置である。
【００１７】
１１は筺体１内の上部の適宜箇所に配備された二酸化炭素ガス噴出ノズル、１２は二酸化炭素ガス噴出ノズル１１に接続された配管、１３は二酸化炭素ガス減圧供給装置、１４は二酸化炭素ガスボンベ、１５は二酸化炭素ガス減圧供給装置１３と二酸化炭素ガスボンベ１４との間を接続する配管であり、上記の二酸化炭素ガス噴出ノズル１１、配管１２、二酸化炭素ガス減圧供給装置１３、二酸化炭素ガスボンベ１４、および配管１５によってガス放出消火設備ｙが構成されている。
【００１８】
１６は筺体１内の二酸化炭素ガス濃度を検出する二酸化炭素ガス濃度検出センサ、１７は二酸化炭素ガス濃度検出センサ１６に接続された配線である。
また、１８は筺体１内の酸素濃度を検出する酸素濃度検出センサ、１９は酸素濃度検出センサ１８に接続された配線である。
また、２０は各二酸化炭素ガス濃度検出センサ１６および酸素濃度検出センサ１８から各配線１７，１９を介して取り込まれる検出信号に基づいて二酸化炭素ガス濃度および酸素濃度が基準値を越えているか否かを判断する二酸化炭素ガス濃度／酸素濃度監視装置である。
なお、上記の二酸化炭素ガス濃度検出センサ１６は筺体１内の低位置に取り付けられ、また酸素濃度検出センサ１８は人間のおよそ顔の高さに相当する位置に取り付けられる。
【００１９】
２１は排気ファンや排気モータを備えた排気装置、２２は排気ファンや排気モータを備えた逆流防止機能を有する送風装置で、これらの排気装置２１と送風装置２２とで換気設備ｚが構成されている。
【００２０】
２３は筺体１の外壁等に配置された入室申告用ボタン、２４は筺体１内部の環境状態を総合的に監視する総合監視表示装置である。この総合監視表示装置２４は、特許請求の範囲における制御手段に相当するもので、マイクロコンピュータやディスプレイを備えて構成されている。
そして、この総合監視表示装置２４は、前述の火災監視装置１０および二酸化炭素ガス濃度／酸素濃度監視装置２０で得られる情報をそれぞれ取り込むとともに、筺体１内の危険性の有無に応じて、換気設備ｚを構成する排気装置２１や送風装置２２の起動停止を行うとともに、ディスプレイに警告内容を表示するようになっている。
なお、２５は作業員の出入口、２６は電気機器２の搬出入口である。
【００２１】
上記構成の電気機器収納用閉鎖パッケージハウスにおいて、電気機器２からの発熱は、空調設備ｘを構成するエアコン室外機５とエアコン室内機３とによって熱回収されて筺体１外部に放出される。
また、筺体１内に火災が発生した場合には、火災検知センサ８によって火災発生が検知され、その検知信号が火災監視装置１０に送出される。
これに応答して火災監視装置１０は、配管１２の途中に設けられた図示しない二酸化炭素ガス開閉バルブを開く。
これにより、二酸化炭素ガスボンベ１４からの二酸化炭素ガスが、配管１５、二酸化炭素ガス減圧供給装置１３、配管１２を介して二酸化炭素ガス噴出ノズル１１に供給されて二酸化炭素ガスが筺体１内に噴出される。
【００２２】
一方、作業員が筺体１内に入室して電気機器２の点検やメンテナンス等の作業を行う場合には、まず、入室申告ボタン２３を操作して入室申告を行う。また、退出時には申告解除を行う。
この入室申告ボタン２３の操作に伴って発生される申告信号は、総合監視表示装置２４に送信される。
【００２３】
総合監視表示装置２４は、入室申告ボタン２３からの申告信号や、火災監視装置１０および二酸化炭素ガス濃度／酸素濃度監視装置２０の情報をそれぞれ取り込んで、火災発生の有無や、筺体１内の二酸化炭素ガス濃度および酸素濃度を調べる。
そして、筺体１内に作業員が立ち入ったときの危険性の有無に応じて換気設備ｚを構成する排気装置２１や送風装置２２の起動停止を行うとともに、警告の必要があるときにはディスプレイに警告内容を表示する。
【００２４】
すなわち、図２に示すように、総合監視表示装置２４の具体的な制御動作として、たとえば、二酸化炭素ガス濃度が基準値（たとえば２％）未満で、かつ筺体１内への入室申告があった場合には、排気装置２１や送風装置２２を起動するとともに、ディスプレイに対して筺体１内に作業員が入室中の旨を表示する。
【００２５】
また、火災発生がなく、かつ、酸素濃度が基準値（たとえば１８％）以下である場合には、排気装置２１や送風装置２２を起動するとともに、ディスプレイに対して筺体１内が酸欠状態にあることを表示して注意を促す。
これにより、筺体１内が長期間にわたって締め切り状態のままで保持されていると、塗装や断熱材からの発生ガス、あるいは電気機器２の金属錆発生等に起因して筺体１内の酸素濃度が低下していても、換気設備ｚが起動されるとともに、注意を促すことで作業員が筺体１内に不意に立ち入って酸欠状態になる危険性を回避することができる。
【００２６】
火災発生がなく、かつ、二酸化炭素ガス濃度が基準値（たとえば２％）以上である場合には、排気装置２１や送風装置２２を起動するとともに、ディスプレイに対して筺体１内がガス中毒危険状態にあることを表示して注意を促す。
これにより、ガス放出消火設備ｙに誤動作が生じて多量の二酸化炭素が一時に放出された状態になっていても、換気設備ｚが起動されるとともに、注意を促すことで作業員が二酸化炭素ガスが放出された筺体１内に不意に立ち入ってガス中毒になる危険性を回避することができる。
【００２７】
さらに、火災発生があり、かつ、筺体１内への入室申告がなく、しかも換気設備ｚが動作中であるときには、排気装置２１および送風装置２２を停止する。
これにより、二酸化炭素ガス噴出ノズル１１から噴出される二酸化炭素ガスによって筺体１内の火災が短時間の内に消火される。
【００２８】
このように、この実施の形態１におけるパッケージハウスは、筺体１内に作業員が不意に立ち入ったために、ガス放出消火設備ｙの誤動作等に起因したガス中毒事故に見舞われたり、筺体１内が長期間にわたって締め切り状態のままに保持されたことによる酸素濃度の低下によって酸欠状態になるなどの危険性を確実に回避することができる。
【００２９】
実施の形態２．
図３は本発明の実施の形態２における電気機器収納用閉鎖パッケージハウスを示すもので、同図（ａ）はその平面断面図、同図（ｂ）はその縦断面図である。なお、図３において図１に示した実施の形態１と対応する構成部分には同一の符号を付している。
【００３０】
この実施の形態２における電気機器収納用閉鎖パッケージハウスの特徴は、筐体１内の相対湿度を検出する湿度検出センサ４１が設けられるとともに、入室申告ボタン２３からの申告信号に基づいて空調設備ｘによる相対湿度を変化させる湿度制御手段としての湿度制御コントローラ４２を備えていることである。
【００３１】
すなわち、上記の湿度制御コントローラ４２は、入室申告ボタン２３からの申告信号が出力されておらず筐体１内へ作業員が入室していないと判断される場合には、電気機器２の発錆を抑えることが可能な第１目標湿度（たとえば３０％）を設定して、湿度検出センサ４１で検出される相対湿度がこの第１目標湿度になるように空調設備ｘを制御し、また、入室申告ボタン２３からの申告信号が出力されていて作業員の入室があると判断される場合には、第１目標湿度よりも高い第２目標湿度（たとえば６０％）に設定して、湿度検出センサ４１で検出される相対湿度がこの第２目標湿度になるように空調設備ｘを制御するようになっている。
【００３２】
その他の構成は、図１に示した実施の形態１の場合と同様であるから、ここでは詳しい説明は省略する。
【００３３】
図４はこの実施の形態２における総合監視表示装置２４、および湿度制御コントローラ４２の制御内容の説明図である。
【００３４】
総合監視表示装置２４の具体的な制御動作は、実施の形態１の場合と同様である。したがって、ここでは詳しい説明は省略する。
【００３５】
一方、湿度制御コントローラ４２は、湿度検出センサ４１の検出出力に基づいて筺体１内の相対湿度を常時監視している。
そして、入室申告ボタン２３から申告信号が出力されていない場合には、筐体１内へ作業員が入室していないと判断し、第１目標湿度（たとえば３０％）を設定して、湿度検出センサ４１で検出される相対湿度がこの第１目標湿度になるように空調設備ｘを制御する。
これにより、筺体１内が低湿度に保たれるので、電気機器２の発錆を抑えることができるようになる。
【００３６】
また、入室申告ボタン２３からの申告信号が出力されている場合には、筺体１内へ作業員が入室しているものと判断し、第２目標湿度（たとえば６０％）に設定して湿度検出センサ４１で検出される相対湿度がこの第２目標湿度になるように空調設備ｘを制御する。これにより、筺体１内に作業員が立ち入った際に、乾燥による人体への障害を防止することができる。
【００３７】
このように、この実施の形態２におけるパッケージハウスは、実施の形態１と同様に、筺体１内に作業員が不意に立ち入ったために、ガス放出消火設備ｙの誤動作等に起因したガス中毒事故に見舞われたり、筺体１内が長期間にわたって締め切り状態のままで放置されたことによる酸素濃度の低下によって酸欠状態になるなどの危険性を確実に回避することができる。
【００３８】
さらに、この実施の形態２では、筐体１内へ作業員が入室していないときには、筺体１内が低湿度に保たれるので、筺体１内に設置された電気機器２の湿気過多による錆発生を確実に防止することができ、また、筐体１内へ作業員が入室したときには、筺体１内の湿度が高められるので、乾燥による人体への障害を防止することができる。
【００３９】
実施の形態３．
図５は本発明の実施の形態３における電気機器収納用閉鎖パッケージハウスを示すもので、同図（ａ）はその平面断面図、同図（ｂ）はその縦断面図である。なお、図５において図１に示した実施の形態１と対応する構成部分には同一の符号を付している。
【００４０】
この実施の形態３における電気機器収納用閉鎖パッケージハウスの特徴は、筐体１内に仕切り壁３１を設けることにより、作業員が立ち入る作業員立入領域３４と、電気機器２が設置される機器設置領域３７とを区画している。
そして、仕切り壁３１には電気機器２の点検作業用のアクセス用ドア３３および作業員の出入口３２が設けられるとともに、火災監視装置１０、二酸化炭素ガス濃度／酸素濃度監視装置２０、入室申告ボタン２３、および総合監視表示装置２４が配設されている。
【００４１】
また、上記の作業員立入領域３４内には、照明器具７が取り付けられるとともに、ポータブル粉末消火器３５が設置されている。
一方、機器設置領域３７には、電気機器２やエアコン室内機３の他、各種のセンサ８，１６、１８や二酸化炭素ガス噴出ノズル１１などが設けられている。
さらに、排気装置２１は機器設置領域３７側に、送風装置２２は作業員立入領域３４側にそれぞれ設けられており、送風装置２２と仕切り壁３１との間はエアダクト３６を介して接続され、エアダクト３６の仕切り壁３１側の端部は機器設置領域３７内に開口している。
【００４２】
その他の構成は、図１に示した実施の形態１の場合と同様であるから、ここでは詳しい説明は省略する。
【００４３】
上記構成において、総合監視表示装置２４は、機器設置領域３７内の環境状態を総合的に監視しており、その場合の具体的な制御動作は、図２に示した実施の形態１の場合と同様である。したがって、ここでは詳しい説明は省略する。
【００４４】
また、この実施の形態３において、電気機器２の点検やメンテナンスを行う作業時には、仕切り壁３１に設けたアクセス用ドア３３から作業を実施する。
なお、作業員立入領域３４に火災が生じた場合には、ポータブル粉末消火器３５を用いて消火を行う。
【００４５】
このように、この実施の形態３では、仕切り壁３１によって筺体１内を作業員立入領域３４と機器設置領域３７とに区画した上で、専ら作業員立入領域３４において電気機器２の点検やメンテナンスを行うので、ガス放出消火設備ｙの誤動作等に起因して機器設置領域３７内に二酸化炭素ガスが放出された場合でもガス中毒事故に見舞われることがない。
また、機器設置領域３７内が長期間にわたって締め切り状態のままに保持されて酸素濃度が低下していても酸欠状態になるなどの危険性を確実に回避することができる。
【００４６】
【発明の効果】
本発明に係る電気機器収納用閉鎖パッケージハウスによれば、ガス放出消火設備の誤動作等に起因して二酸化炭素ガスが筺体内に放出されて二酸化炭素ガス濃度が予め設定された基準値以上なると、筺体内の換気が行われるとともに、筺体内が危険状態にあることが警告されるため、筺体内に作業員が不意に立ち入ってガス中毒事故に見舞われるなどの危険性を確実に回避することができる。
【図面の簡単な説明】
【図１】本発明の実施の形態１における電気機器収納用閉鎖パッケージハウスを示すもので、同図（ａ）はその平面断面図、同図（ｂ）はその縦断面図である。
【図２】本発明の実施の形態１における電気機器収納用閉鎖パッケージハウスに設けられている総合監視表示装置の制御内容の説明図である。
【図３】本発明の実施の形態２における電気機器収納用閉鎖パッケージハウスを示すもので、同図（ａ）はその平面断面図、同図（ｂ）はその縦断面図である。
【図４】本発明の実施の形態２における電気機器収納用閉鎖パッケージハウスに設けられている総合監視表示装置、および湿度制御コントローラの制御内容の説明図である。
【図５】本発明の実施の形態３における電気機器収納用閉鎖パッケージハウスを示すもので、同図（ａ）はその平面断面図、同図（ｂ）はその縦断面図である。
【符号の説明】
１  筺体、２  電気機器、ｘ  空調設備、ｙ  ガス放出消火設備、ｚ  換気設備、８  火災検知センサ、１６  二酸化炭素ガス濃度検出センサ、１８  酸素濃度検出センサ、２４  総合監視表示装置（制御手段）、３１  仕切り壁、３３  アクセス用ドア、３４  作業員立入領域、３７  機器設置領域、４１  湿度検出センサ、４２  湿度制御用コントローラ（湿度制御手段）。
【図１】
2005005575.tif 000003
【図２】
2005005575.tif 000004
【図３】
2005005575.tif 000005
【図４】
2005005575.tif 000006
【図５】
2005005575.tif 000007